(57)【要約】      （修正有）【課題】従来、風力発電機の風寄せは、工場で翼と一体に形成するため、現地まで輸送する時、破損しないよう、細心の注意をせねばならないと共に破損防止のため、相当の手間がかかっている。また、既設の風力発電機は、翼端から外方向に逃げようとする風の防止対策がないため、発電効率は悪い。【解決手段】既設、新設に係らず、直状の翼端に、Ｒ状の風寄せ２を現場で取り付けるように構成した。これにより、外方向に逃れようとする風を翼内に取り込むので、高効率の発電をすることができる。【選択図】図４
2017040250.tif 000002
【特許請求の範囲】
【請求項１】
風力発電機の翼端を前方向にＲ状に折曲げて風寄を形成した全迎い風を取り込んで発電効率を高めた風力発電機用風寄せ。
【請求項２】
Ｒ状に形成した風寄せを翼端に取り付けた全迎い風を取り込んで発電効率を高めた風力発電機用風寄せ。
【請求項３】
Ｌ字状に形成した風寄せを翼端に取り付けた全迎え風を取り込んで発電効率を高めた風力発電機用風寄せ。
【請求項４】
翼端に取り付ける風寄せを翼端より巾広く形成すると共に弧状に形成した請求項２と３に記載の全迎え風を取り込んで発電効率を高めた風力発電機用風寄せ。
【発明の詳細な説明】
【技術分野】
【０００１】  本発明は、全迎い風を取り込んで発電効率を高めた風力発電機用風寄せに関する。
【背景技術】
【０００２】  従来、風力発電機は各種あるが、発電において最も重要な役割を果す翼の風の受け方は、今一つ不十分である。
【発明の概要】
【発明が解決しようとする課題】
【０００３】  本発明は、翼の全周内の迎い風を取り込み、発電効率を高めることを目的とする。
【課題を解決するための手段】
【０００４】  そして、本発明は、上記目的を達成するため、第１の課題解決手段の図１と図２は、風力発電機の翼端を前方向にＲ状に折曲げて風寄せを形成したものである。
第２の課題解決手段の図３と図４は、Ｒ状に形成した風寄せを、翼端に取り付けたものである。
第３の課題解決手段の図５と図６は、Ｌ字状に形成した風寄せを翼端に取り付けたものである。
【発明の効果】
【０００５】  本発明は、翼端に風寄せを形成するか取り付けたので、翼が風を受けて回転する時、翼端の風寄せが、翼端から外方向に逃がれようとする風をすべて翼内に取り込む。
したがって、翼の回転力は強まるので、新設のみならず、既設の翼に取り付ければ発電効率を高めることができる。
【図面の簡単な説明】
【０００６】第１の課題解決手段
【図１】  第１の課題解決手段の正面図
【図２】  図１の右側面図第２の課題解決手段【図３】  第２の課題解決手段の正面図
【図４】  図３の右側面図第３の課題解決手段【図５】  第３の課題解決手段の正面図
【図６】  図５の右側面図
【発明を実施化するための形態】
【０００７】  以下、本発明の実施の形態を説明する。
【０００８】  第１の課題解決手段の図１と図２の１は風寄せで、翼端を前方向にＲ状に形成している。
なお、この場合、大径用の翼は、輸送し難いし、また、破損のおそれがあるので、設置現場で、第２、第３の解決手段（図３から図６）の風寄せ２、３を取り付けてもよい。
【０００９】  第２の課題解決手段の図３と図４の２は、Ｒ状に形成した風寄せで、翼端に取り付けている。
第３の課題解決手段の図５と図６の３はＬ字状に形成した風寄せで、翼端に取り付けている。
【実施例】
【００１０】  図４に示す細線のように、風寄せ２を翼端より巾広く形成し、且、弧状に形成する。なお、本実施は風寄せ３にも実施可能である。
【符号の説明】
【００１１】  １  風寄せ
２  風寄せ
３  風寄せ
【図１】
2017040250.tif 000003
【図２】
2017040250.tif 000004
【図３】
2017040250.tif 000005
【図４】
2017040250.tif 000006
【図５】
2017040250.tif 000007
【図６】
2017040250.tif 000008
【手続補正書】
【提出日】平成28年2月8日(2016.2.8)
【手続補正１】
【補正対象書類名】明細書
【補正対象項目名】全文
【補正方法】変更
【補正の内容】
【発明の詳細な説明】
【技術分野】
【０００１】  本発明は、風力発電機の現地取り付け用風寄せに関する。
【背景技術】
【０００２】  従来、風力発電機の翼端は、大型の翼であっても、工場で傾斜状に形成するため、据え付け現地まで、破損しないよう細心の注意を要すると共に破損防止のため、相当の手間がかかっている。
また、既設の風力発電機の翼端は、翼を延ばしただけで、発電効率の向上対策がなされてないため、発電効率の向上が望めないのが現状である。
【発明の概要】
【発明が解決しようとする課題】
【０００３】  本発明は、既設、新設に係らず、直状の翼端に、本発明の風寄せを現場で取り付け、発電効率を高めることを目的とする。
【課題を解決するための手段】
【０００４】  図１と図２は、既知の風車で、翼端を傾斜状に形成している。【０００５】  本発明の第１実施例の図３と図４は、Ｒ状に形成したＲ状の風寄せを、現地で風力発電機の翼端に取り付けるようにしたものである。
なお、図４の仮想線のように、風寄せを、末広がり状で、翼端より巾広く、且、Ｒ状の風寄せを形成し、現地で風力発電機の翼端に取り付けるようにしたものである。
実施例２の図５と図６は、Ｌ字状に形成したＬ字状の風寄せを、現地で翼端に取り付けるようにしたものである。
【発明の効果】
【０００６】  本発明は、風寄せを、現地で、翼端に取り付けるようにしたので、翼が長尺であっても、工場から現地まで輸送しやすく、且、破損することがない。
したがって、翼端を現地で取り付け後は、翼端から、外方向に逃がれようとする風を翼内に取り込むので、発電効率を高めることができる。
また、本発明は、新設のみならず、既設の翼端に取り付ければ、発電効率を一段と高めることができる等の諸効果を有するものである。
【図面の簡単な説明】
【０００７】
【図１】  既知の風車の正面図
【図２】  図１の右側面図実施例１【図３】  実施例１の正面図
【図４】  図３の右側面図実施例２【図５】  実施例２の正面図
【図６】  図５の右側面図
【発明を実施するための形態】
【０００８】  既知の図１と図２は、翼端に傾斜状の風寄せを形成している。
【０００９】  実施例１の図３と図４の２は、Ｒ状に形成したＲ状の風寄せで、風力発電機の設置完了後、また、既設の風力発電機の翼端に取り付けるるようにしている。
なお、末広り状に形成した風寄せも、上記と同様に取り付ける。
実施例２の図５と図６の３は、Ｌ字状の風寄せで、風力発電機の設置完了後、また、既設の風力発電機の翼端に取り付けるようにしている。
【符号の説明】
【００１０】  １  傾斜状の風寄せ
２  Ｒ状の風寄せ
３  Ｌ字状の風寄せ
【手続補正２】
【補正対象書類名】特許請求の範囲
【補正対象項目名】全文
【補正方法】変更
【補正の内容】
【特許請求の範囲】
【請求項１】
Ｒ状に形成したＲ状の風寄せを、風力発電機の設置後、また、既設の風力発電機の翼端に取り付けるようにしたことを特徴とする風力発電機の現地取り付け用風寄せ。
【請求項２】
末広がり状に形成した末広がり状で、翼端より巾広く、且、Ｒ状の風寄せを、風力発電機の設置後、また、既設の風力発電機の翼端に取り付けるようにしたことを特徴とする風力発電機の現地取り付け用風寄せ。
【請求項３】
Ｌ字状に形成したＬ字状の風寄せを、風力発電機の設置後、また、既設の風力発電機の翼端に取り付けるようにしたことを特徴とする風力発電機の現地取り付け用風寄せ。
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
風力発電機の翼において、前記翼の翼端に、該翼端の前方向にＲ状、若しくはＬ字状に形成され、前記翼端から外方向に逃げようとする風を翼内に取り込む風寄せを取り付け、該風寄せは末広がり状に形成した末広がり状で、前記翼端より巾広く形成されていることを特徴とする風力発電機の現地取り付け用風寄せ。